(57)【要約】【課題】フック外れ止め防止装置をフックの大きさに関係なく取付け可能にする。【解決手段】巻上機のフックの上端部に回転自在に取付けられる取付け板２１と、取付け板２１の先端に回動自在に設けられ重力によりフックの先端部を覆うことによりフックに玉掛けされたワイヤーロープの外れを防止するフック先端保護具２０とを有する。【選択図】図３
2019131312.tif 000002
【特許請求の範囲】
【請求項１】
巻上機のフックの上端部に回転自在に取付けられる取付け板と、
前記取付け板の先端に回動自在に設けられ、重力により前記フックの先端部を覆うことにより前記フックに玉掛けされたワイヤーロープの外れを防止するフック先端保護具と、
を有することを特徴とするフック外れ止め防止装置。
【請求項２】
前記フック先端保護具の先端には、前記フックの先端部を保護するように一対の折り曲げ部が形成されていることを特徴とする請求項１に記載のフック外れ止め防止装置。
【請求項３】
前記フック先端保護具を前記フックの先端部に押し付ける力を付与するバネ部材を更に有することを特徴とする請求項１に記載のフック外れ止め防止装置。
【請求項４】
前記取付け板が垂直方向に動くことを抑制する垂直方向抑制部と、
前記取付け板が水平方向に動くことを抑制する水平方向抑制部と、
を更に有することを特徴とする請求項１に記載のフック外れ止め防止装置。
【請求項５】
前記垂直方向抑制部は、少なくともピンにより構成され、
前記水平方向抑制部は、前記取付け板に掘られた溝に沿って移動する押さえ板により構成されることを特徴とする請求項４に記載のフック外れ止め防止装置。
【請求項６】
巻上装置と、前記巻上装置に接続されたフックとを有する巻上機であって、
前記フックは、
上端部に回転自在に取付けられる取付け板と、
前記取付け板の先端に回動自在に設けられ、重力により前記フックの先端部を覆うことにより前記フックに玉掛けされたワイヤーロープの外れを防止するフック先端保護具と、
を有することを特徴とする巻上機。
【請求項７】
前記フック先端保護具の先端には、前記フックの先端部を保護するように一対の折り曲げ部が形成されていることを特徴とする請求項６に記載の巻上機。
【請求項８】
前記フック先端保護具を回動させ前記取付け板を回転させることにより、前記フック先端保護具が前記フックの先端部から外れて、前記フックの先端部とは逆側の部分に退避することを特徴とする請求項６に記載の巻上機。
【請求項９】
前記フック先端保護具を前記フックの先端部に押し付ける力を付与するバネ部材を更に有することを特徴とする請求項６に記載の巻上機。
【請求項１０】
前記取付け板が垂直方向に動くことを抑制する垂直方向抑制部と、
前記取付け板が水平方向に動くことを抑制する水平方向抑制部と、
を更に有することを特徴とする請求項６に記載の巻上機。
【請求項１１】
前記垂直方向抑制部は、少なくともピンにより構成され、
前記水平方向抑制部は、前記取付け板に掘られた溝に沿って移動する押さえ板により構成されることを特徴とする請求項１０に記載の巻上機。
【発明の詳細な説明】
【技術分野】
【０００１】
本発明は、フック外れ止め防止装置及び巻上機に関する。
【背景技術】
【０００２】
工事現場等で行われている作業には、巻上機のフックにロッド管等の長尺の吊り荷をワイヤーロープを介して吊り下げ、その長尺の吊り荷を地上に降ろす作業がある。この作業では、長尺の吊り荷の下端を地上にあずけ、巻上機を移動・旋回させながらクレーンのフックを巻き下げる。この過程で巻上機のフックに掛けられたワイヤーロープが緩むことがある。
【０００３】
この際、フックに取り付けられた外れ止めは、ワイヤーロープが内側から当たっても動くことはない。このため、通常は、ワイヤーロープが巻上機のフックから外れることはない。しかし、希にワイヤーロープが、外れ止めの掛け口の外側に回り込んで外れ止め部材を動かしフックから外れる知恵の輪現象と呼ばれる現象が発生する可能性がある。
【０００４】
特許文献１では、上記知恵の輪現象を防止するために、フック外れ止め装置を設けている。
具体的には、特許文献１には「クレーンフックに玉掛けされたワイヤーロープの外れを防止すべく、上端がクレーンフックの掛け口側の基部に回動自在に設けられ、下端がクレーンフックの先端内側部に当接するようバネで付勢された外れ止めを備えたフック外れ止め装置において、外れ止めに長手方向にスライド自在に設けられると共に回動自在に設けられ、収納時に外れ止めと重なり、展開時にフック先端部を覆うフック先端カバーを備えたものである。」ことが記載されている（要約参照）。
【先行技術文献】
【特許文献】
【０００５】
【特許文献１】特開２０１５−２０８９７号公報
【発明の概要】
【発明が解決しようとする課題】
【０００６】
しかし、特許文献１では、フック外れ止め装置を取り付けるためには、フックの取付け部である掛け口が一定以上長い必要があり、掛け口に寸法的余裕が必要である。
このため、特許文献１のフック外れ止め装置を、掛け口に寸法的余裕がない小形のフックに取付けることは困難である。
【０００７】
本発明の目的は、フック外れ止め防止装置をフックの大きさに関係なく取付け可能にすることにある。
【課題を解決するための手段】
【０００８】
本発明の一態様のフック外れ止め防止装置は、巻上機のフックの上端部に回転自在に取付けられる取付け板と、前記取付け板の先端に回動自在に設けられ、重力により前記フックの先端部を覆うことにより前記フックに玉掛けされたワイヤーロープの外れを防止するフック先端保護具とを有することを特徴とする。
【０００９】
本発明の一態様の巻上機は、巻上装置と、前記巻上装置に接続されたフックとを有する巻上機であって、前記フックは、上端部に回転自在に取付けられる取付け板と、前記取付け板の先端に回動自在に設けられ、重力により前記フックの先端部を覆うことにより前記フックに玉掛けされたワイヤーロープの外れを防止するフック先端保護具とを有することを特徴とする。
【発明の効果】
【００１０】
本発明の一態様によれば、フック外れ止め防止装置をフックの大きさに関係なく取付けることができる。
【図面の簡単な説明】
【００１１】
【図１】電動巻上機の構成を示す図である。
【図２】ロードブロックのフックに、フック外れ止め防止装置を装着した図である。
【図３】（ａ）は実施例１のフック外れ止め防止装置の構成を示す図であり、（ｂ）は実施例２のフック外れ止め防止装置の構成を示す図である。
【図４】フック外れ止め防止装置の使用状態を示す側面図である。
【図５】フック外れ止め防止装置の退避状態を示す側面図である。
【図６】知恵の輪現象を説明するための図である。
【発明を実施するための形態】
【００１２】
以下、図面を用いて実施例について説明する。
【実施例１】
【００１３】
まず、図１を参照して、電動巻上機の構成について説明する。
電動巻上機は、フレーム５０の片方に、吊り荷の巻上げ及び巻下げを行うための駆動源となる電動機５１と、電動機５１を制動するブレーキ装置５２を備える。一方、フレーム５０に対して電動機５１の反対側に減速機５３を備える。
【００１４】
また、吊り荷を吊るためのワイヤーロープ５４を巻きつけるためのドラム５５、ドラム５５の内側に電動機５１の回転を減速機５３まで伝達するための連結部材を備える。
電動機５１の回転は連結部材を介して減速部５３に伝達され、減速機５３にて減速されドラム５５に伝達されドラム５５が回転する。これにより、ドラム５５に巻きつけられたワイヤーロープ５４が上下動し、吊り荷を上げ下げすることができる。ドラム５５に巻かれるワイヤーロープ５４には、シーブ５７を介して荷を吊るロードブロック５８が取り付けられている。また、フレーム５０は横行装置５９にて横行レール６０に支持される。
【００１５】
実施例１は、知恵の輪現象によってワイヤーロープがフックから外れるのを防止するフック外れ止め防止装置を提供する。
【００１６】
ここで、図６を参照して、知恵の輪現象について説明する。
図６に示すように、ワイヤーロープ３が無負荷状態となって浮かび上がったとき、ワイヤーロープ３のよれや回転又は風の影響などによって、フック２の一側（ここでは、紙面手前側）に位置するワイヤーロープ３がフック２の先端を乗り越えてフック２の他側（ここでは、紙面奥側）に回り込む。
【００１７】
この結果、外れ止め３１の外側にワイヤーロープ３が掛かった状態となり、再度、ワイヤーロープ３に吊り荷の負荷が掛かったとき、ワイヤーロープ３がフック２の掛け口４の外側から外れ止め３１を押してフック２から完全に外れる。この現象が知恵の輪現象である。
【００１８】
実施例１のフック外れ止め防止装置は、フック２の大きさに関係なく知恵の輪現象を防止する。
【００１９】
図２、図３（ａ）を参照して、実施例１のフック外れ止め装置１０の構成について説明する。
【００２０】
図２、図３（ａ）に示すように、実施例１のフック外れ止め装置１０は、巻上機のフック２の上端部に回転自在に取付けられる取付け板２１と、取付け板２１の先端に回動自在に設けられ、重力によりフック２の先端部を覆うことによりフック２に玉掛けされたワイヤーロープ３の外れを防止するフック先端保護具２０を有する。
フック先端保護具２０の先端には、フック２の先端部を保護するように一対の折り曲げ部２０ａが形成されている。
【００２１】
フック外れ止め装置１０は、取付け板２１が垂直方向に動くことを抑制する垂直方向抑制部と、取付け板２１が水平方向に動くことを抑制する水平方向抑制部と有する。ここで、垂直方向抑制部は、例えば、ピン２３により構成される。一方、水平方向抑制部は、例えば、取付け板２１に掘られた溝２１ａに沿って移動する押さえ板２４により構成される。
【００２２】
このように、実施例１のフック外れ止め装置１０は、フック２に回転自在に取付けられる取付け板２１、２２と、フック取付け板２１、２２が垂直方向に動くことを抑制するピン２３と、フック取付け板２１、２２に掘られた溝２１ａに沿って移動しフック取付け板２１、２２が水平に方向に動くことを抑制する押さえ板２４とを備える。そして、フック取付け板２２の先端に、ボルト２５とナット２６によって回動自由に取付けられ、重力によってフック２の先端部を覆うフック先端保護具２０を備える。
【００２３】
取付け板２１、２２は、弧になった部分をフック２の軸部２ａ（図４参照）に当てることにより水平方向の位置が決定する。取付け板２１には溝２１ａが掘られていて、押さえ板２４をこの溝２１ａに沿ってスライドさせることにより、取付け板２１、２２の水平方向の動きを拘束する。
【００２４】
さらに、押さえ板２４の両側に、取付け板２１に空けられた穴２１ｂに対してピン２３を挿入する事によって、取付け板２１、２２の垂直方向の動きを拘束すると共に、押さえ板２４が取付け板２１の溝２１ａに沿って動く距離も制限して外れることを防止する。
【００２５】
また、取付け板２２とフック先端保護具２０の片側はそれぞれ丸められていてその中をボルト２５が通り、ボルト２５の先端にナット２６が取りつけられることによって、蝶番の様に回動可能に保持される。
【００２６】
フック先端保護部２０は、ボルト２５に取り付けられている側とは反対領域であって、ボルト２５の軸方向の両端部に折り曲げ部２０ａを有している。折り曲げ部２０ａは、取付け板２１が存在する側に向かって折り曲げて形成されている。
【００２７】
ここで、フック先端保護部２０のボルト２５の軸方向における幅は、フック先端部２ｂのボルト２５の軸方向における幅よりもやや広い。このため、フック先端保護部２０は、折り曲げ部２０ａによってフック先端部２ｂ（図４参照）を覆うように設置することができる。
【００２８】
図２に示すように、通常は、フック２に掛けられたワイヤーロープ３は、フックに取り付けられた外れ止め３１により外れが防止される。実施例１のフック外れ止め防止装置１０は、ワイヤーロープ３がフック２の掛け口４（図６参照）の外側から外れ止め３１を押してフック２から完全に外れる知恵の輪現象をフック２の大きさに関係なく防止することができる。
【００２９】
次に、図４を参照して、フック外れ止め装置１０の使用状態について説明する。
図４に示すように、フック外れ止め装置１０は、取付け板２１、２２によってフック軸部２ａに回転可能に取り付けられている。そして、フック外れ止め装置１０の折り曲げ部２０ａがフック２の先端にかかる構造となっている。使用状態においてはフック外れ止め装置１０が回転してフック先端部２ｂから外れることはない。
【００３０】
次に、図５を参照して、フック外れ止め装置１０の退避状態について説明する。
図５に示すように、玉掛け作業時などのフック外れ止め装置１０が作業性を悪化させる場合においては、フック外れ止め装置１０の先端を持ち上げてフック軸部２ａに沿って回転させ、フック２の掛け口４とは逆側に退避させることができる。この時、折り曲げ部２０ａはフック２の掛け口４とは逆側に引っかかるようになるので回転範囲は制限され、作業性を悪化させることはない。
【実施例２】
【００３１】
図３（ｂ）を参照して、実施例２のフック外れ止め装置１０の構成について説明する。
実施例２のフック外れ止め装置１０は、フック先端保護具２０をフック２の先端部２ｂに押し付ける力を付与するバネ２７を更に有する。
【００３２】
図３（ｂ）に示すように、フック先端保護具２０の回転支持部２０ｂに対してバネ２７を装着することで、フック先端保護具２０がフック先端部２ｂに押し付けられる力が発生する。
これによって、巻上機の移動時にフック２が揺れた場合でも、フック先端保護具２０がフック先端部２ｂから外れることを効果的に防止できる。
【符号の説明】
【００３３】
２  フック
２ａ  フック軸部
２ｂ  フック先端部
３  ワイヤーロープ
４  掛け口
１０  フック外れ止め防止装置
２０  フック先端保護具
２０ａ  折り曲げ部
２１  取付け板
２１ａ  溝
２１ｂ  穴
２２  取付け板２１
２３  ピン
２４  押さえ板
２５  ボルト
２６  ナット
２７  バネ
３１  外れ止め
５０  フレーム
５１  電動機
５２  ブレーキ装置
５３  減速機
５４  ワイヤーロープ
５５  ドラム
５７  シーブ
５８  ロードブロック
５９  横行装置
６０  横行レール
【図１】
2019131312.tif 000003
【図２】
2019131312.tif 000004
【図３】
2019131312.tif 000005
【図４】
2019131312.tif 000006
【図５】
2019131312.tif 000007
【図６】
2019131312.tif 000008